(57)【要約】【課題】調光制御装置が調光信号を送信して種別の異なる照明端末を調光制御する調光制御システムにおいて、照明端末の種別を正しく判定し、同一の調光信号回線に接続された複数の照明端末が同一の種別であるか否かを検出する。【解決手段】調光制御装置２は、４組の調光信号回線Ｌ１、Ｌ２、Ｌ３、Ｌ４に対して調光信号Ｓを送信し、種別の異なる照明端末（蛍光灯照明器具Ｆａ、Ｆｂ、白熱灯照明器具Ｒ、ＬＥＤ照明器具Ｅ）を別々に調光制御する。各照明端末は、種別ごとに異なった値で調光信号回線に短絡電流を生じさせる回線短絡装置３６、４５、５５を備え、調光制御装置２が電源オン時に１００％オンデューティの調光信号Ｓを送信したときに、各回線短絡装置３６、４５、５５が調光信号回線を所定時間短絡する。マイクロプロセッサ２３は、短絡電流値測定回路２５によって測定された短絡電流に基づいて各調光信号回線に接続された照明端末の種別を判定する。【選択図】図１
2008186628.tif 000002
【特許請求の範囲】
【請求項１】
複数組の調光信号回線に対して調光信号を送信する調光制御装置と、
前記複数組の調光信号回線にそれぞれ接続された種別の異なる照明端末と、を備えた調光制御システムにおいて、
前記各照明端末は、
種別ごとに異なった値で前記調光信号回線に短絡電流を生じさせる回線短絡手段と、
前記回線短絡手段の短絡動作を所定時間継続した後に停止する短絡停止手段と、を備え、
前記調光制御装置は、
前記回線短絡手段によって前記調光信号回線に生じた短絡電流を測定する電流測定手段と、
前記電流測定手段によって測定された電流値に基づいて各調光信号回線に接続された前記照明端末の種別を判定する種別判定手段と、を備えたことを特徴とする調光制御システム。
【請求項２】
前記調光制御装置は、
前記照明端末の種別ごとの調光制御情報を記憶した記憶手段をさらに備え、
前記種別判定手段が判定した種別に応じた調光制御情報を前記記憶手段から読出し、読出した調光制御情報に基づいて各照明端末に対して調光信号を送信することを特徴とする請求項１に記載の調光制御システム。
【請求項３】
前記調光制御装置は、
前記電流測定手段によって測定された前記調光信号回線ごとの短絡電流の値が、前記照明端末の種別に応じた短絡電流の値の整数倍でない場合に、当該調光信号回線において種別の異なる照明端末が接続されていることを検出する異常検出手段を、さらに備えることを特徴とする請求項１に記載の調光制御システム。
【発明の詳細な説明】
【技術分野】
【０００１】
本発明は、調光制御装置から調光信号を送信して種別の異なる複数の照明端末を集中的に調光制御する調光制御システムに関する。
【背景技術】
【０００２】
複数組の調光信号回線に蛍光灯、白熱灯、ＬＥＤ等の種別の異なる照明端末が接続され、調光制御装置から出力される調光信号の信号形式とは異なる信号形式によって調光制御される照明端末が接続された調光信号回線には信号変換器が設けられて、１つの調光制御装置から各調光信号回線に出力される調光信号により種別の異なる複数の照明端末が集中的に調光制御できる調光制御システムが知られている（例えば、特許文献１参照）。
【０００３】
特許文献１に記載された調光制御システムのブロック構成が図１５に示される。この調光制御システムでは、４系統の調光信号回線１０１、１０２、１０３、１０４を介して信号形式の異なる複数台の照明器具１０５、１０６、１０７、１０８が調光制御装置１０９に接続されており、調光制御装置１０９内の調光信号出力部１１０から出力される調光信号（ＰＷＭ信号）に対応していない照明器具（例えば、位相制御信号によって制御される白熱灯）が接続された調光信号回線１０１、１０２、１０３には信号変換器１１１、１１２、１１３が設けられている。
【０００４】
また、信号変換器１１１、１１２、１１３には、調光信号を照明器具１０５、１０６、１０７、１０８の種別に応じて所定時間短絡する（又は、調光信号を所定電圧に変更する）信号短絡部が備えられ、調光制御装置１０９には、調光信号回線ごとに調光信号の短絡時間（又は、電圧）を検出する短絡検出部１１４（又は、電圧検出部）と、照明器具の種別ごとの標準的な短絡時間（又は、電圧）を記憶しておく記憶部１１５が備えられて、調光制御装置１０９自体が、各系統に接続された照明器具１０５、１０６、１０７、１０８の種別を判断できるようになっており、照明システムを施工する際や照明器具の種類を変更する際のユーザの手間が省けるようになっている。
【０００５】
一方、照明器具の寿命をユーザに告知する手段として、照明器具の調光制御部と、該調光制御部へ調光制御信号を送信する外部コントローラとを接続する信号線に、該信号線を短絡又は開放する手段を設けた照明システムが知られている（例えば、特許文献２参照）。
【特許文献１】特開２００６−２７８０５９号公報
【特許文献２】特開２００６−２３６６６９号公報
【発明の開示】
【発明が解決しようとする課題】
【０００６】
ところで、上記のような複数組の調光信号回線に対して１つの調光制御装置から調光信号を送信して複数台の照明器具を集中的に調光制御する調光制御システムにおいては、各調光信号回線に複数台の照明器具が接続される場合が多いのであるが、特許文献１に記載された調光制御システムでは、調光制御装置が各調光信号回線に調光信号を出力するときの調光信号に与えられる短絡時間（又は、電圧変化）によって照明器具の種別を判定するようになっているので、各調光信号回線に接続された複数台の照明器具の中に種別の異なる照明器具が混在していてもそれを検出することが困難である。
【０００７】
例えば、特許文献１に記載された調光制御システムでは、特定の調光信号回線に、短絡時間が短く設定された照明器具と短絡時間が長く設定された照明器具が混在して接続されている場合、短絡時間が短く設定された照明器具の存在は検出されないという不具合がある。
【０００８】
特許文献２に記載の照明システムは、調光制御信号を送信する信号線を短絡することによって外部コントローラを操作不能とし、そのことによってユーザが照明器具の寿命に気付くように構成したものであって、照明器具の種別を判定するものではない。
【０００９】
そこで、本発明は、複数組の調光信号回線に種別の異なる照明端末がそれぞれ接続されて成る調光制御システムにおいて、各照明端末の種別をより正しく判定することができ、また、各調光信号回線に複数の照明端末が接続される場合に、該複数の照明端末が同一の種別でないことを検出することができる調光制御システムを提供することを目的とする。
【課題を解決するための手段】
【００１０】
上記目的を達成するために、請求項１の発明は、複数組の調光信号回線に対して調光信号を送信する調光制御装置と、前記複数組の調光信号回線にそれぞれ接続された種別の異なる照明端末と、を備えた調光制御システムにおいて、前記各照明端末は、種別ごとに異なった値で前記調光信号回線に短絡電流を生じさせる回線短絡手段と、前記回線短絡手段の短絡動作を所定時間継続した後に停止する短絡停止手段と、を備え、前記調光制御装置は、前記回線短絡手段によって前記調光信号回線に生じた短絡電流を測定する電流測定手段と、前記電流測定手段によって測定された電流値に基づいて各調光信号回線に接続された前記照明端末の種別を判定する種別判定手段と、を備えたことを特徴とする。
【００１１】
請求項２の発明は、請求項１に記載の調光制御システムにおいて、前記調光制御装置は、前記照明端末の種別ごとの調光制御情報を記憶した記憶手段をさらに備え、前記種別判定手段が判定した種別に応じた調光制御情報を前記記憶手段から読出し、読出した調光制御情報に基づいて各照明端末に対して調光信号を送信することを特徴とする。
【００１２】
請求項３の発明は、請求項１に記載の調光制御システムにおいて、前記調光制御装置は、前記電流測定手段によって測定された前記調光信号回線ごとの短絡電流の値が、前記照明端末の種別に応じた短絡電流の値の整数倍でない場合に、当該調光信号回線において種別の異なる照明端末が接続されていることを検出する異常検出手段を、さらに備えることを特徴とする。
【発明の効果】
【００１３】
請求項１の発明によれば、調光制御装置が各調光信号回線に生じる短絡電流を測定し、測定した電流値に基づいて各調光信号回線に接続された照明端末の種別を判定するので、各調光信号回線に接続された照明端末の種別をより正しく判定することができ、さらには、各調光信号回線に複数種類の照明端末が接続される場合に、該複数の照明端末が同一の種別でないことを検出することができる。
【００１４】
請求項２の発明によれば、請求項１の発明の効果に加えて、調光制御装置が、判定した種別に応じた調光制御情報を記憶手段から読出し、読出した調光制御情報に基づいて調光信号を送信するので、各照明端末が種別ごとに正しい調光状態で点灯する。
【００１５】
請求項３の発明によれば、請求項１の発明の効果に加えて、調光信号回線ごとの短絡電流の合計値が種別に応じた短絡電流の値の整数倍でない場合に、種別の異なる照明端末が同一の調光信号回線に接続されていることを検出する異常検出手段を備えるので、配線の間違い等の異常を容易に正しく検出することができる。
【発明を実施するための最良の形態】
【００１６】
以下、本発明の一実施形態に係る調光制御システムについて、図１乃至図１４を参照して説明する。本実施形態の調光制御システム１は、図１に示されるように、４組の調光信号回線Ｌ１、Ｌ２、Ｌ３、Ｌ４に対して調光信号を送信する調光制御装置２と、ユーザが操作して調光制御装置２に対して操作信号を出力するリモコン３と、４組の調光信号回線Ｌ１、Ｌ２、Ｌ３、Ｌ４にそれぞれ接続された種別の異なる照明端末としての蛍光灯照明器具Ｆａ、Ｆｂ、白熱灯照明器具Ｒ、及びＬＥＤ照明器具Ｅとを備える。
【００１７】
各照明端末Ｆａ、Ｆｂ、Ｒ、Ｅは、それぞれ調光信号回線Ｌ１、Ｌ２、Ｌ３、Ｌ４を一時的に短絡する回線短絡装置３６、４５、５５を備えている。調光信号回線Ｌ１、Ｌ２、Ｌ３、Ｌ４は、図１では１本の線に示されているが、実際には並行した２本の線から構成される。
【００１８】
蛍光灯照明器具Ｆａ、Ｆｂ、白熱灯照明器具Ｒ、及びＬＥＤ照明器具Ｅは、それぞれ複数台が各調光信号回線Ｌ１、Ｌ２、Ｌ３、Ｌ４に対して並列に接続されており、例えば、本調光制御システム１がオフィスの照明設備として設けられる場合には、調光信号回線Ｌ１に接続された蛍光灯照明器具Ｆａ１、Ｆａ２・・のグループ、調光信号回線Ｌ２に接続された蛍光灯照明器具Ｆｂ１、Ｆｂ２・・のグループ、調光信号回線Ｌ３に接続された白熱灯照明器具Ｒ１、Ｒ２・・のグループ、及び調光信号回線Ｌ４に接続されたＬＥＤ照明器具Ｅ１、Ｅ２・・のグループが、それぞれオフィスの別々の領域を照明するように配置される。
【００１９】
調光制御装置２は、商用電源２１から電源回路２２を介して所定の動作電圧を供給されるマイクロプロセッサ２３（種別判定手段）と、マイクロプロセッサ２３によって制御され各調光信号回線Ｌ１、Ｌ２、Ｌ３、Ｌ４に所定の調光信号Ｓ（ＰＷＭ信号）を出力する調光信号出力回路２４と、各調光信号回線Ｌ１、Ｌ２、Ｌ３、Ｌ４に流れる短絡電流を測定し測定値をマイクロプロセッサ２３へ出力する短絡電流値測定回路２５と、照明器具の種別ごとの調光制御情報（後述）等を記憶した記憶部２６（記憶手段）と、リモコン３から送出される赤外線を受光し赤外線に重畳された指令信号をマイクロプロセッサ２３へ出力する赤外線受光部２７を備える。図１では、赤外線受光部２７を使用しているが、受光部は、赤外線を受光するものに限られず、特定小電力無線その他の電波を受信するものでもよい。
【００２０】
調光信号出力回路２４から出力される調光信号Ｓ（ＰＷＭ信号）の例が図２に示される。ＰＷＭ信号Ｓは、一定の周期Ｔと電圧Ｖを有し、マイクロプロセッサ２３からの指示に応じてオンデューティ（周期Ｔに対するオン時間ｔ１の割合）の値が変化する。
【００２１】
各照明端末Ｆａ、Ｆｂ、Ｒ、Ｅは、入力されるＰＷＭ信号Ｓのオンデューティの値に応じて光出力が変化する。本実施形態における各照明端末Ｆａ、Ｆｂ、Ｒ、Ｅのオンデューティ値に対応する光出力値が図３及び図４に示される。白熱灯照明器具Ｒと蛍光灯照明器具Ｆａ、Ｆｂでは、オンデューティ値の増加にほぼ比例して光出力が減少し、ＬＥＤ照明器具Ｅでは、オンデューティ値の増加に対して光出力が指数関数状に増加する。
【００２２】
上記各照明端末Ｆａ、Ｆｂ、Ｒ、Ｅごとのオンデューティ値に対応する光出力値の関係を示すテーブルＴ１が、調光制御情報として記憶部２６に記憶されている。
【００２３】
蛍光灯照明器具Ｆａは、図５に示されるように、商用電源２１から電源回路３２を介して電源を供給され、電源回路３２によって所定の電圧に変換された電力の発振周期を蛍光灯３３の点灯周期に変換する発振回路３４と、発振回路３４によって変換される発振周期を調光信号Ｓ（ＰＷＭ信号）に応じた値に制御する発振周期制御部３５と、発振回路３４によって変換された発振周期に応じて光出力が変化する蛍光灯３３と、調光信号回線Ｌ１を所定の時間短絡する回線短絡装置３６とを備える。
【００２４】
具体的には、発振周期制御部３５は、例えばオンデューティ値９０％のＰＷＭ信号Ｓが調光信号回線Ｌ１を介して入力されたとき、そのＰＷＭ信号Ｓに応じて発振回路３４の発振周期を制御し、蛍光灯３３を１１％の光出力とする（図３、図４参照）。
【００２５】
回線短絡装置３６は、図６に示されるように、並行な調光信号回線Ｌ１間に亘って接続された通常オフのトランジスタ３７と、抵抗３８と、トランジスタ３７のオンオフを制御するタイマ回路３９を備える。抵抗３８の値は、照明端末の種別に応じた別々の値に設定されており、照明端末が蛍光灯照明器具Ｆａ、Ｆｂの場合には、抵抗値Ｒｆに設定される。
【００２６】
タイマ回路３９は、マイクロプロセッサ３９ａを搭載した電子回路であり、蛍光灯照明器具Ｆａの電源回路３２の電源オンを検出し、その検出と同時にタイマをオンすると共にトランジスタ３７をオンに切替え、所定の時間経過後にタイマをオフすると共にトランジスタ３７をオフに切替えることによって調光信号回線Ｌ１を所定時間短絡する。マイクロプロセッサ３９ａに替えて、マイコン、汎用ＩＣといったものでもよい。
【００２７】
タイマ回路３９のオンオフタイミング、蛍光灯照明器具Ｆａの電源オンのタイミング、及び調光制御装置２の電源オンのタイミングが図７に示される。調光制御装置２の電源が時刻ｔａにオンされた後、蛍光灯照明器具Ｆａの電源が時刻ｔｂにオンされ、同時にタイマ回路３９のタイマがオンして短絡電流Ｉが調光信号回線Ｌ１に流れる。タイマ回路３９は所定時間ｔｄ後の時刻ｔｃにオフし、短絡電流Ｉが停止される。
【００２８】
ここで、調光制御装置２は、電源オンの直後に調光信号回線Ｌ１に対してオンデューティ値１００％の調光信号Ｓ（ＰＷＭ信号）を送信し、その調光信号Ｓの電圧がＥｖであるとすると、蛍光灯照明器具Ｆａの接続された調光信号回線Ｌ１には、所定時間ｔｄだけＩｆ＝（Ｅｖ÷Ｒｆ）の短絡電流が流れる。
【００２９】
調光信号回線Ｌ２に接続された蛍光灯照明器具Ｆｂの構成、及び蛍光灯照明器具Ｆｂ内の回線短絡装置３６の構成は、調光信号回線Ｌ１に接続された蛍光灯照明器具Ｆａ、及び回線短絡装置３６と同一であるので説明を省略する。
【００３０】
次に、白熱灯照明器具Ｒについて、図８を参照して説明する。白熱灯照明器具Ｒは、商用電源２１から電源回路４２を介して電源を供給され、電源回路４２によって所定の電圧に変換された電力の出力位相角を、調光信号Ｓ（ＰＷＭ信号）に応じた値に変換する信号変換部４３と、信号変換部４３によって所定の出力位相角に変換された電力に応じて光出力が変化する白熱灯４４と、調光信号回線Ｌ３を所定の時間短絡する回線短絡装置４５とを備える。
【００３１】
具体的には、信号変換部４３は、例えばオンデューティ値９８％のＰＷＭ信号Ｓが入力されたとき、そのＰＷＭ信号に応じて出力位相角を１７８度に制御し、白熱灯４４の光出力が２％になる。調光信号Ｓ（ＰＷＭ信号）のオンデューティ値に対する出力位相角の例が図９のテーブルＴ２に示される。図９に示されるテーブルＴ２の内容は、信号変換部４３に記憶されている。
【００３２】
白熱灯照明器具Ｒに備えられる回線短絡装置４５の構成は、蛍光灯照明器具Ｆａ、Ｆｂに備えられた回線短絡装置３６と同一であり説明を省略するが、白熱灯照明器具Ｒに備えられる回線短絡装置４５の抵抗の抵抗値Ｒｒは、蛍光灯照明器具Ｆａ、Ｆｂに備えられた回線短絡装置３６の抵抗の抵抗値Ｒｆとは異なった値に設定される。
【００３３】
従って、調光制御装置２の電源がオンされた直後に、調光制御装置２が調光信号回線Ｌ３にオンデューティ値１００％の調光信号Ｓ（ＰＷＭ信号）を送信したとき、調光信号回線Ｌ３が所定時間ｔｄだけ短絡され、Ｉｒ＝（Ｅｖ÷Ｒｒ）の短絡電流が流れる。
【００３４】
次に、ＬＥＤ照明器具Ｅについて、図１０を参照して説明する。ＬＥＤ照明器具Ｅは、商用電源２１から電源回路５２を介して電源を供給され、電源回路５２によって所定の電圧に変換された電力の出力位相角を、調光信号Ｓ（ＰＷＭ信号）に応じた値に変換する信号変換部５３と、信号変換部５３によって所定の位相角に変換された電力に応じて光出力が変化するＬＥＤ５４と、調光信号回線Ｌ４を所定の時間短絡する回線短絡装置５５とを備える。
【００３５】
具体的には、信号変換部５３は、例えばオンデューティ値９９％のＰＷＭ信号Ｓが入力されたとき、そのＰＷＭ信号Ｓに応じて出力位相角を１７９度に制御し、ＬＥＤ５４の光出力は９８％になる。白熱灯照明器具Ｒと同様に、調光信号Ｓ（ＰＷＭ信号）のオンデューティ値に対する出力位相角のテーブルが、信号変換部５３に記憶されている。
【００３６】
ＬＥＤ照明器具Ｅに備えられる回線短絡装置５５の構成も、蛍光灯照明器具Ｆａ、Ｆｂに備えられた回線短絡装置３６と同一であり説明を省略するが、ＬＥＤ照明器具Ｅに備えられる回線短絡装置５５の抵抗の抵抗値Ｒｅは、蛍光灯照明器具Ｆａ、Ｆｂに備えられた回線短絡装置３６の抵抗の抵抗値Ｒｆ、及び白熱灯照明器具Ｒに備えられた回線短絡装置４５の抵抗の抵抗値Ｒｒとは異なった値に設定される。
【００３７】
従って、調光制御装置２の電源がオンされた直後に、調光制御装置２が調光信号回線Ｌ４にオンデューティ値１００％の調光信号Ｓ（ＰＷＭ信号）を送信したとき、調光信号回線Ｌ４が所定時間ｔｄだけ短絡され、Ｉｅ＝（Ｅｖ÷Ｒｅ）の短絡電流が流れる。
【００３８】
次に、各調光信号回線Ｌ１、Ｌ２、Ｌ３、Ｌ４に複数の照明器具が接続される構成について、図１１（ａ）、（ｂ）を参照して説明する。３台の蛍光灯照明器具Ｆａ１、Ｆａ２、Ｆａ３が調光信号回線Ｌ１に接続された構成が図１１（ａ）に示される。各蛍光灯照明器具Ｆａ１、Ｆａ２、Ｆａ３は、調光信号回線Ｌ１に対して回線短絡装置３６が並列になるように接続される。このように接続した場合には、調光信号回線Ｌ１に調光制御装置２から電圧Ｅｖで１００％オンデューティ値の調光信号Ｓが送信されるときに、調光信号回線Ｌ１には３×Ｉｆの短絡電流が流れる。
【００３９】
他の調光信号回線Ｌ２、Ｌ３、Ｌ４に対する各照明器具Ｆｂ、Ｒ、Ｅの接続構成も、上記の構成と同一であるが、白熱灯照明器具Ｒについて複数本の白熱灯４４を共通の信号変換部４３に接続する構成が可能であり、その場合共通の信号変換部４３に並列に回線短絡装置４５を接続することができる。
【００４０】
具体的には、図１１（ｂ）に示されるように、調光信号回線Ｌ３に対して１つの回線短絡装置４５と１つの信号変換部４３が並列に接続され、信号変換部４３からの出力線に白熱灯４４が並列に接続される。このように接続した場合には、調光信号回線Ｌ３に調光制御装置２から電圧Ｅｖで１００％オンデューティ値の調光信号Ｓが送信されるときに、調光信号回線Ｌ３にはＩｒの短絡電流が流れる。ＬＥＤ照明器具Ｅについても、上記のような信号変換部５３と回線短絡装置５５を共通に接続する構成を採用することも可能である。
【００４１】
次に、本実施形態の調光制御システム１の調光制御動作について説明する。調光制御装置２の電源回路２２がオンされ、続いて各照明端末Ｆａ、Ｆｂ、Ｒ、Ｅの電源回路３２、４２、５２がオンされる（図７参照）。調光制御装置２のマイクロプロセッサ２３は、電源がオンされた直後に、各調光信号回線Ｌ１、Ｌ２、Ｌ３、Ｌ４の調光信号出力回路２４に対してオンデューティ値１００％の調光信号Ｓを出力する指令信号を出力し、各調光信号出力回路２４は、オンデューティ値１００％の調光信号Ｓを出力する。
【００４２】
各照明端末Ｆａ、Ｆｂ、Ｒ、Ｅの回線短絡装置３６、４５、５５は、タイマ回路３９がオンする所定時間ｔｄだけ、各調光信号回線Ｌ１、Ｌ２、Ｌ３、Ｌ４を短絡し、各調光信号回線Ｌ１、Ｌ２、Ｌ３、Ｌ４にそれぞれ異なった値の短絡電流を生じさせる。
【００４３】
各調光信号回線Ｌ１、Ｌ２、Ｌ３、Ｌ４の短絡時間ｔｄは、短い時間に設定され、調光制御装置２が各照明端末の種別を判定した後、各照明端末に対して所定のオンデューティ値の調光信号Ｓを送信するときに、その調光信号Ｓを短絡してしまうことがない。また、調光制御装置２がオンデューティ値１００％の調光信号Ｓを出力する時間も短い時間に設定されている。
【００４４】
調光信号回線Ｌ１にｎ台の蛍光灯照明器具Ｆａ１、Ｆａ２・・Ｆａｎが接続されている場合には、調光信号回線Ｌ１に短絡電流ｎ×Ｉｆが流れ、調光信号回線Ｌ２にｎ台の蛍光灯照明器具Ｆｂ１、Ｆｂ２・・Ｆｂｎが接続されている場合には、調光信号回線Ｌ２に短絡電流ｎ×Ｉｆが流れ、調光信号回線Ｌ３にｎ台の白熱灯照明器具Ｒ１、Ｒ２・・Ｒｎが、図１１（ｂ）に示されるような信号変換部４３を共通化する構造を採らずに接続されている場合には、調光信号回線Ｌ３に短絡電流ｎ×Ｉｒが流れ、調光信号回線Ｌ４にｎ台のＬＥＤ照明器具Ｅ１、Ｅ２・・Ｅｎが、図１１（ｂ）に示されるような信号変換部５３を共通化する構造を採らずに接続されている場合には、調光信号回線Ｌ４に短絡電流ｎ×Ｉｅが流れる。
【００４５】
各調光信号回線Ｌ１、Ｌ２、Ｌ３、Ｌ４に流れる短絡電流ｎ×Ｉｆ、ｎ×Ｉｆ、ｎ×Ｉｒ、ｎ×Ｉｅは、調光制御装置２の短絡電流値測定回路２５によって測定され、各短絡電流値測定回路２５は、測定値をマイクロプロセッサ２３へ送信する。
【００４６】
マイクロプロセッサ２３は、各調光信号回線Ｌ１、Ｌ２、Ｌ３、Ｌ４の短絡電流値測定回路２５から受信した各測定値について、予め記憶部２６内に記憶してある照明端末の種別に応じた短絡電流の値の整数倍であるか否かを判断し、整数倍である場合には、各調光信号回線Ｌ１、Ｌ２、Ｌ３、Ｌ４に接続された照明端末の種別を判定し、整数倍でない場合には、当該調光信号回線において種別の異なる照明端末が接続されているとしてアラーム等の報知手段を動作させてユーザに異常を報知する。
【００４７】
具体的には、記憶部２６内に蛍光灯照明器具Ｆａ、Ｆｂに対応する短絡電流値としてＩｆが予め記憶され、白熱灯照明器具Ｒに対応する短絡電流値としてＩｒが予め記憶され、ＬＥＤ照明器具Ｅに対応する短絡電流値としてＩｅが予め記憶されており、マイクロプロセッサ２３は、各短絡電流値測定回路２５から受信した各測定値ｎ×Ｉｆ、ｎ×Ｉｆ、ｎ×Ｉｒ、ｎ×Ｉｅを上記短絡電流値と比較して整数倍か否かを判断する。整数倍でない場合の態様については後述する。
【００４８】
マイクロプロセッサ２３は、各短絡電流値測定回路２５から受信した測定値が、それぞれ何れかの照明端末に対応する短絡電流値の整数倍である（上記の例では、ｎ倍）と判断した後、各測定値について何れの照明端末に対応する短絡電流値の整数倍であるかに基づいて、各調光信号回線Ｌ１、Ｌ２、Ｌ３、Ｌ４に接続された照明端末の種別を判定する。
【００４９】
具体的には、マイクロプロセッサ２３は、調光信号回線Ｌ１について短絡電流の測定値がｎ×Ｉｆであるので、蛍光灯照明器具Ｆａが接続されていると判定し、同様にして、調光信号回線Ｌ２については、蛍光灯照明器具Ｆｂが接続されており、調光信号回線Ｌ３については、白熱灯照明器具Ｒが接続され、調光信号回線Ｌ４については、ＬＥＤ照明器具Ｅが接続されていると判定する。
【００５０】
そして、マイクロプロセッサ２３は、判定した各調光信号回線Ｌ１、Ｌ２、Ｌ３、Ｌ４に接続されている照明端末の種別を記憶部２６に記憶し、ユーザがリモコン３を操作して何れかの照明端末のグループ（オフィス内の何れかの領域）の明るさを調整するときに、マイクロプロセッサ２３は、調整すべき調光信号回線Ｌ１、Ｌ２、Ｌ３、Ｌ４の照明端末の種別を記憶部２６から読出し、さらに読出した照明端末についてのオンデューティ値に対応する光出力値の関係（調光制御情報）を記憶部２６から読出し、読出したオンデューティ値に対応する光出力値の関係に基づいて調整すべき調光信号回線の調光信号出力回路２４へ所定のオンデューティ値で調光信号Ｓを出力するように制御する。
【００５１】
例えば、ユーザがリモコン３を操作して調光信号回線Ｌ１に接続された蛍光灯照明器具Ｆａの光出力の指示指令（例えば、１７％の光出力）を入力したときには、マイクロプロセッサ２３は、記憶部２６から調光信号回線Ｌ１に接続された照明端末が蛍光灯照明器具Ｆａであるという情報を読出し、記憶部２６から調光制御情報（図４参照）の蛍光灯照明器具に関するオンデューティ値に対応した光出力値の関係情報を読出し、その関係情報に基づいてユーザが入力した光出力（１７％）に対応するオンデューティ値（８５％）を決定し、調光信号出力回路２４をオンデューティ値８５％の調光信号を出力するように制御する。
【００５２】
調光信号出力回路２４は、調光信号回線Ｌ１に対してオンデューティ値８５％の調光信号Ｓを出力し、調光信号回線Ｌ１に接続された全ての蛍光灯照明器具Ｆａ１、Ｆａ２・・Ｆａｎが光出力１７％で点灯する。
【００５３】
ユーザがリモコン３を操作して他の調光信号回線Ｌ２、Ｌ３、Ｌ４の照明端末に対して所定の光出力の指示指令を入力した場合も同様に、他の調光信号回線Ｌ２、Ｌ３、Ｌ４に接続された蛍光灯照明器具Ｆｂ、白熱灯照明器具Ｒ、及びＬＥＤ照明器具Ｅが入力された通りの光出力で点灯する。
【００５４】
なお、記憶部２６にシーンごとの各照明端末Ｆａ、Ｆｂ、Ｒ、Ｅの光出力が記憶されている場合は、リモコン３からの操作によってシーンを選択することによって、各調光信号回線Ｌ１、Ｌ２、Ｌ３、Ｌ４の照明端末Ｆａ、Ｆｂ、Ｒ、Ｅの光出力を一括して調整することができる。
【００５５】
例えば、記憶部２６に、図１２に示されるようにシーン１乃至シーン３における各照明端末の光出力が記憶されている場合、ユーザがリモコン３を操作してシーン１を選択したときには、調光信号回線Ｌ１、Ｌ２に接続された蛍光灯照明器具Ｆａ、Ｆｂが光出力５０％で点灯され、調光信号回線Ｌ３に接続された白熱灯照明器具Ｒが光出力１００％で点灯され、調光信号回線Ｌ４に接続されたＬＥＤ照明器具Ｅが光出力５０％で点灯される。
【００５６】
次に、各調光信号回線Ｌ１、Ｌ２、Ｌ３、Ｌ４について、１回線内において種別の異なる照明端末が接続された場合について、図１３及び図１４を参照して説明する。
【００５７】
各調光信号回線Ｌ１、Ｌ２、Ｌ３、Ｌ４に多数の照明端末が接続されるときには、配線時の手違いにより１つの調光信号回線に異種の照明端末が接続されてしまうことがある。
【００５８】
例えば、図１３に示されるように、同一の調光信号回線Ｌ１に蛍光灯照明器具Ｆａ１、Ｆａ２と異種の蛍光灯照明器具Ｒ１が接続された場合には、調光制御装置２の電源がオンされた直後に調光信号出力回路２４から１００％オンデューティ値の調光信号Ｓ（ＰＷＭ信号）が電圧Ｅｖで出力されたときに、調光信号回線Ｌ１に短絡電流（２×Ｉｆ＋Ｉｒ）が流れ、短絡電流値測定回路２５は、その短絡電流値を測定する。マイクロプロセッサ２３は、記憶部２６に記憶された各照明端末に対応する短絡電流値Ｉｆ、Ｉｒ、Ｉｅと比較して短絡電流（２×Ｉｆ＋Ｉｒ）がそれらの整数倍ではないことを判定してアラームを動作させる。
【００５９】
アラームの音声や表示には、異常が検出された調光信号回線Ｌ１、Ｌ２、Ｌ３、Ｌ４を示す回線番号等の情報を付加することができ、ユーザは、アラームによって配線の間違い等の異常に気づき、示された調光信号回線の配線の修正を行うことができる。
【００６０】
同一の調光信号回線Ｌ３に信号変換部４３と回線短絡装置３６を共通化して複数の白熱灯照明器具Ｒを接続する構成において、白熱灯４４とは異種の蛍光灯照明器具Ｆａが間違えて接続された場合にも、異常を検出することができる。
【００６１】
例えば、図１４に示されるように、同一の調光信号回線Ｌ３に白熱灯照明器具Ｒと蛍光灯照明器具Ｆａが接続された場合には、調光制御装置２の電源がオンされた直後に調光信号出力回路２４から１００％オンデューティ値の調光信号Ｓ（ＰＷＭ信号）が電圧Ｅｖで出力されたときに、調光信号回線Ｌ３に短絡電流（Ｉｒ＋Ｉｆ）が流れ、マイクロプロセッサ２３は、記憶部２６に記憶された各照明端末に対応する短絡電流値Ｉｆ、Ｉｒ、Ｉｅと比較して短絡電流（Ｉｒ＋Ｉｆ）がそれらの整数倍ではないことを判定してアラームを動作させる。
【００６２】
以上のように、本実施形態の調光制御システム１においては、調光制御装置２の短絡電流値測定回路２５が各調光信号回線Ｌ１、Ｌ２、Ｌ３、Ｌ４に生じる短絡電流を測定し、マイクロプロセッサ２３が測定した電流値に基づいて各調光信号回線Ｌ１、Ｌ２、Ｌ３、Ｌ４に接続された照明端末の種別を判定するので、各調光信号回線Ｌ１、Ｌ２、Ｌ３、Ｌ４に接続された照明端末の種別をより正しく判定することができ、各調光信号回線Ｌ１、Ｌ２、Ｌ３、Ｌ４に複数の照明端末が接続される場合に、該複数の照明端末が同一の種別であるか否かを検出することができる。
【００６３】
なお、本実施形態では、蛍光灯照明器具Ｆａの回線短絡装置３６の抵抗３８の抵抗値Ｒｆと、蛍光灯照明器具Ｆｂの回線短絡装置３６の抵抗３８の抵抗値Ｒｆは、蛍光灯照明器具Ｆａと蛍光灯照明器具Ｆｂが同一の種別（例えば、インバータ蛍光灯）であることから同一の値であったが、蛍光灯照明器具Ｆａと蛍光灯照明器具Ｆｂが信号形式等の異なる別種の照明端末である場合には、別々の値に設定することも可能である。その場合には、同一の調光信号回線に蛍光灯照明器具Ｆａと蛍光灯照明器具Ｆｂが混在して接続された異常を検出することができる。
【図面の簡単な説明】
【００６４】
【図１】本発明の一実施形態に係る調光制御システムの全体構成を示すブロック図。
【図２】同調光制御システムの調光制御装置が各調光信号回線に対して出力する調光信号の例を示す図。
【図３】同調光制御システムにおける調光信号のオンデューティ値と各照明端末の光出力の関係を示すグラフ。
【図４】同調光制御システムにおける調光信号のオンデューティ値と各照明端末の光出力の関係を示すテーブル。
【図５】同調光制御システムにおける蛍光灯照明器具の構成を示すブロック図。
【図６】同調光制御システムにおける回線短絡装置の構成を示すブロック図。
【図７】同調光制御システムにおける回線短絡装置のタイマのオンオフタイミング、調光制御装置の電源オンのタイミング、蛍光灯照明器具の電源オンのタイミング、及び短絡電流の発生タイミングを示すタイミングチャート。
【図８】同調光制御システムにおける白熱灯照明器具の構成を示すブロック図。
【図９】同調光制御システムにおける白熱灯照明器具の信号変換部に記憶された調光信号のオンデューティ値と出力位相角の関係を示すテーブル。
【図１０】同調光制御システムにおけるＬＥＤ照明器具の構成を示すブロック図。
【図１１】（ａ）は同調光制御システムにおいて蛍光灯照明器具が同一の調光信号回線に複数接続された構成を示すブロック図、（ｂ）は同調光制御システムにおいて白熱灯照明器具が、信号変換部と回線短絡装置を共通化するようにして同一の調光信号回線に複数接続された構成を示すブロック図。
【図１２】同調光制御システムにおける調光制御装置の記憶部に記憶されたシーン別の各照明端末の光出力を示す図。
【図１３】同調光制御システムにおいて同一の調光信号回線に種別の異なる照明端末が接続された状態の例を示すブロック図。
【図１４】同調光制御システムにおいて同一の調光信号回線に種別の異なる照明端末が接続された状態の他の例を示すブロック図。
【図１５】従来の調光制御システムの全体構成を示すブロック図。
【符号の説明】
【００６５】
１  調光制御システム
２  調光制御装置
２３  マイクロプロセッサ（種別判定手段、異常検出手段）
２５  短絡電流値測定回路（電流測定手段）
２６  記憶部（記憶手段）
３７  トランジスタ（回線短絡手段）
３８  抵抗（回線短絡手段）
３９  タイマ回路（短絡停止手段）
Ｌ１、Ｌ２、Ｌ３、Ｌ４  調光信号回線
Ｓ  調光信号
Ｆａ、Ｆｂ  蛍光灯照明器具（照明端末）
Ｒ  白熱灯照明器具（照明端末）
Ｅ  ＬＥＤ照明器具（照明端末）
Ｉ、Ｉｆ、Ｉｒ、Ｉｅ  短絡電流
Ｔ１  テーブル（調光制御情報）
【図１】
2008186628.tif 000003
【図２】
2008186628.tif 000004
【図３】
2008186628.tif 000005
【図４】
2008186628.tif 000006
【図５】
2008186628.tif 000007
【図６】
2008186628.tif 000008
【図７】
2008186628.tif 000009
【図８】
2008186628.tif 000010
【図９】
2008186628.tif 000011
【図１０】
2008186628.tif 000012
【図１１】
2008186628.tif 000013
【図１２】
2008186628.tif 000014
【図１３】
2008186628.tif 000015
【図１４】
2008186628.tif 000016
【図１５】
2008186628.tif 000017